(57)【要約】      （修正有）【課題】筐体を、工事現場の仮囲いに着脱する作業が容易で、歩道側から表示画面が見易いようにしたデジタルサイネージ取付装置を提供する。【解決手段】工事現場側にデジタルサイネージ２を置き、工事現場側に立って、手持ち金具の取っ手を手に持ち、デジタルサイネージの筐体２１を少し持ち上げて、載置金具４Ａ、４Ｂの円弧状凹部４２を下側の横向きの単管パイプ１２に係合させる。筐体の前面２２の上下両端近傍が当接板６１に当接するため、筐体は単管パイプ１２上に直立状態に維持される。次に平板状のクランプ板を筐体の背面に当接させながら、当接板６１に２本のボルトを締め付けてクランプ板を固定する。【選択図】図１
0003213192.tif 000002
【実用新案登録請求の範囲】
【請求項１】
上下に配置された複数の横向きの単管パイプと左右に配置された複数の縦向きの単管パイプを連結して形成された支持体に複数の仮囲いパネルを取り付けて構成される仮囲いと、
直方体の筐体に収納され、筐体の前面に表示画面が形成されたデジタルサイネージと、
前記筐体の幅よりも左右の間隔を若干広く形成して前記上側の横向きの単管パイプと前記下側の横向きの単管パイプに連結された一対の縦向きの単管パイプと、
前記筐体の下面の左右両端に一対取り付けられ、前記下側の横向きの単管パイプに係合する載置金具と、
前記一対の載置金具に各々取り付けられ、前記筐体の背面に沿って上方に延びて形成され、上端に手持ち用の取っ手が形成された手持ち金具と、
前記一対の縦向きの単管パイプに各々取り付けられ、前記筐体の前面に当接する当接板と、
前記筐体の背面に当接し、前記当接板に固定されて前記当接板との間で前記筐体を挟持するクランプ板と
からなることを特徴とする仮囲い用のデジタルサイネージ取付装置。
【請求項２】
請求項１に記載の仮囲い用のデジタルサイネージ取付装置において、
前記当接板は、
前記一対の縦向きの単管パイプの上下に各々取り付けられ、前記筐体の前面の上下両端に当接する
【請求項３】
請求項２に記載の仮囲い用のデジタルサイネージ取付装置において、
前記載置金具は、前記縦向きの単管パイプの外形に合致するように半円形状の凹部を有する
ことを特徴とする仮囲い用のデジタルサイネージ取付装置。
【考案の詳細な説明】
【技術分野】
【０００１】
本考案は、工事場と外部との仕切りである仮囲いにデジタルサイネージを取り付けるための取付装置に関する。更に詳しくは、仮囲いに対する着脱が容易な仮囲い用のデジタルサイネージ取付装置に関する。
【背景技術】
【０００２】
工事現場や建設現場を鋼板等の仮囲いパネルで囲んだ仮囲いパネルの外面には、当該工事や建設工事の概要等についての表示が行われている。従来の表示方法として、仮囲いパネルに直に表示したり、別途作成した表示パネルを仮囲いパネルの外面に取り付ける方法がある。しかしこの方法では、表示内容が変わるたびに、別の表示に書き直したり、別の表示パネルを作成して交換しなければならず、表示変更の手間が煩わしく、迅速に表示内容の変更ができない不具合がある。
【０００３】
液晶表示画面等を有する薄型の筐体を有し、通信を介して表示内容を迅速に変更可能なデジタルサイネージ（電子看板）がある。このデジタルサイネージを仮囲いに取り付けるようにした装置として、種々のデジタルサイネージ取付装置が提案されている（例えば、特許文献１、特許文献２）。特許文献１に記載のデジタルサイネージ取付装置は、車輪付きの台座上に移動可能に載置された筐体に、取手とアイボルトを取付け、透明な仮囲いパネルに接近するように筐体を台座上で移動し、仮囲いの骨材とアイボルトをロープでつないで固定して、液晶表示画面が歩道側から見やすくしている。特許文献１に記載のデジタルサイネージ取付装置は、工事現場や建設現場からの移動が容易であるが、液晶表示画面が透明な仮囲いパネルよりも工事現場側に引っ込んでいるため、歩道側から液晶表示画面が見にくい不具合がある。
【０００４】
特許文献２に記載のデジタルサイネージ取付装置は、仮囲いに２本の垂直サポート部材を取付け、垂直サポート部材に取り付けた下水平サポート部材と上水平サポート部材で箱状の筐体を上下から挟み込み、上水平サポート部材と下水平サポート部材に取付ビスで筐体を固定している。しかし、特許文献２に記載のデジタルサイネージ取付装置は、下水平サポート部材上にデジタルサイネージの筐体を持ち上げて載置する作業が力仕事になる。また、上水平サポート部材の上下幅の調整や、上水平サポート部材、下水平サポート部材のビス穴とデジタルサイネージの筐体のビス穴の位置を合わせる作業、取付ビスを締め付ける作業が難しいため、取付作業に時間がかかる。
【先行技術文献】
【特許文献】
【０００５】
【特許文献１】特開２０１６−７１７９６号
【特許文献２】特開２０１６−１４２０６６号
【考案の概要】
【考案が解決しようとする課題】
【０００６】
本考案は、以上のような技術背景で発明されたものであり、以下の目的を達成するものである。
本考案の目的は、デジタルサイネージの筐体を仮囲いに着脱する作業が容易で、歩道側から表示画面が見易い仮囲い用のデジタルサイネージ取付装置を提供することにある。
【課題を解決するための手段】
【０００７】
前記課題は以下の手段によって解決される。
すなわち、本考案１の仮囲い用のデジタルサイネージ取付装置は、上下に配置された複数の横向きの単管パイプと左右に配置された複数の縦向きの単管パイプを連結して形成された支持体に複数の仮囲いパネルを取り付けて構成される仮囲いと、直方体の筐体に収納され、筐体の前面に表示画面が形成されたデジタルサイネージと、前記筐体の幅よりも左右の間隔を若干広く形成して前記上側の横向きの単管パイプと前記下側の横向きの単管パイプに連結された一対の縦向きの単管パイプと、前記筐体の下面の左右両端に一対取り付けられ、前記下側の横向きの単管パイプに係合する載置金具と、前記一対の載置金具に各々取り付けられ、前記筐体の背面に沿って上方に延びて形成され、上端に手持ち用の取っ手が形成された手持ち金具と、前記一対の縦向きの単管パイプに各々取り付けられ、前記筐体の前面に当接する当接板と、前記筐体の背面に当接し、前記当接板に固定されて前記当接板との間で前記筐体を挟持するクランプ板とからなることを特徴とする。
【０００８】
本考案２の仮囲い用のデジタルサイネージ取付装置は、本考案１において、前記当接板は、前記一対の縦向きの単管パイプの上下に各々取り付けられ、前記筐体の前面の上下両端に当接することを特徴とする。
本考案３の仮囲い用のデジタルサイネージ取付装置は、本考案２において、前記載置金具は、前記縦向きの単管パイプの外形に合致するように半円形状の凹部を有することを特徴とする。
【考案の効果】
【０００９】
本考案の仮囲い用のデジタルサイネージ取付装置は、デジタルサイネージの筐体を少し持ち上げて、下側の横向きの単管パイプに載置するだけで、筐体は下側の横向きの単管パイプ上に直立状態に維持されるため、デジタルサイネージの取付け作業が容易になる。また、デジタルサイネージの表示画面が仮囲いパネルに接近しているため、歩道側から表示画面が見易い。
【図面の簡単な説明】
【００１０】
【図１】図１は、本考案の実施の形態の仮囲い用のデジタルサイネージ取付装置を示す全体斜視図であり、筐体の前面側から見た全体斜視図である。
【図２】図２は、本考案の実施の形態の仮囲い用のデジタルサイネージ取付装置を示す全体斜視図であり、筐体の背面側から見た全体斜視図である。
【図３】図３は、図２を筐体の下面側から見た斜視図である。
【図４】図４は、図２を筐体の上面側から見た斜視図である。
【図５】図５は、図２のＡ−Ａ断面図である。
【考案を実施するための形態】
【００１１】
以下、本考案の実施の形態を図面に基づいて説明する。図１は本考案の実施の形態の仮囲い用のデジタルサイネージ取付装置を示す全体斜視図であり、筐体の前面側から見た全体斜視図である。図２は本考案の実施の形態の仮囲い用のデジタルサイネージ取付装置を示す全体斜視図であり、筐体の背面側から見た全体斜視図である。図３は図２を筐体の下面側から見た斜視図、図４は図２を筐体の上面側から見た斜視図、図５は図２のＡ−Ａ断面図である。図１から図５に示すように、本考案の実施の形態で使用される仮囲い１は、骨組み構造として、上側の横向きの単管パイプ１１、下側の横向きの単管パイプ１２、複数の縦向きの単管パイプ１３で構成されている支持体である。この上側の横向きの単管パイプ１１と下側の横向きの単管パイプ１２に、これに直交して配置された縦向きの単管パイプ１３が、直交クランプ金具１４、１４で互いに連結されている。図１、図２では、複数の縦向きの単管パイプ１３のうちの１本だけを示している。
【００１２】
この支持体の歩道側に、金属製または合成樹脂製の複数の仮囲いパネル１５が図示しないクランプ金具で固定されている。この仮囲い１に取り付けられるデジタルサイネージ２は、直方体の筐体２１に収納され、筐体２１の前面２２には、液晶表示画面２３が形成されている。液晶表示画面２３は歩道側に面している。この上側の横向きの単管パイプ１１と下側の横向きの単管パイプ１２に、一対の縦向きの単管パイプ３Ａ、３Ｂが直交クランプ金具１６Ａ、１６Ｂで連結されている。一対の縦向きの単管パイプ３Ａ、３Ｂの左右の間隔は、筐体２１の左右の幅よりも若干広く形成されている。
【００１３】
筐体２１の下面２４の左右両端には、一対の載置金具４Ａ、４Ｂが４本のボルト４１で取り付けられている（図３参照）。載置金具４Ａ、４Ｂは、断面がコの字形に形成され、縦向きで平行に形成された一対の側板に、下側の横向きの単管パイプ１２に係合する円弧状凹部４２、４２が形成されている。載置金具４Ａ、４Ｂには、手持ち金具５Ａ、５Ｂが２本のボルト５１で取り付けられている。手持ち金具５Ａ、５Ｂは、筐体２１の背面２５に沿って上方に延びて形成され、上端に手持ち用の取っ手５２、５２が形成されている。
【００１４】
一対の縦向きの単管パイプ３Ａ、３Ｂには、筐体２１の上下両端近傍に単クランプ金具６Ａ、６Ｂが各々２個取り付けられている。単クランプ金具６Ａ、６Ｂには、筐体２１の前面２２に当接する当接板６１、６１がボルト６２、６２で固定されている。当接板６１、６１は、平板を階段状に折り曲げて形成されている。このように構成されたデジタルサイネージ２を仮囲い１に取り付ける手順について説明する。工事現場側にデジタルサイネージ２を置き、工事現場側に立って、手持ち金具５Ａ、５Ｂの取っ手５２、５２を手に持ち、デジタルサイネージ２の筐体２１を少し持ち上げて、載置金具４Ａ、４Ｂの円弧状凹部４２、４２を下側の横向きの単管パイプ１２に係合させる。すると、筐体２１の前面２２の上下両端近傍が当接板６１、６１に当接するため、筐体２１は下側の横向きの単管パイプ１２上に直立状態に維持される。次に平板状のクランプ板６３、６３を筐体２１の背面２５に当接させながら、当接板６１、６１に２本のボルト６４、６４を締め付けてクランプ板６３、６３を固定する。すると、筐体２１は、当接板６１、６１とクランプ板６３、６３に挟持され、一対の縦向きの単管パイプ３Ａ、３Ｂに固定される。その後、一対の縦向きの単管パイプ３Ａ、３Ｂの歩道側に、図示しない仮囲いパネルをクランプ金具で固定する。この仮囲いパネルには、液晶表示画面２３用の穴が形成されている。
【００１５】
本考案の実施の形態の仮囲い用のデジタルサイネージ取付装置は、デジタルサイネージ２の筐体２１を少し持ち上げて下側の横向きの単管パイプ１２に載置するだけで、筐体２１は下側の横向きの単管パイプ１２上に直立状態に維持されるため、デジタルサイネージ２の取付け作業が容易になる。また、筐体２１の背面２５の上方に手持ち用の取っ手５２、５２が形成されているため、デジタルサイネージ２の筐体２１を持ち上げる作業姿勢が楽になる。さらに、デジタルサイネージ２を取り外すために、２本のボルト６４、６４を緩めてクランプ板６３、６３を取り外しても、筐体２１は下側の横向きの単管パイプ１２上に直立状態に維持されるため、デジタルサイネージ２の取り外し作業が容易になる。また、デジタルサイネージ２の表示画面が仮囲いパネルに接近しているため、歩道側から表示画面が見易い。
【符号の説明】
【００１６】
１…仮囲い
１１…上側の横向きの単管パイプ
１２…下側の横向きの単管パイプ
１３…縦向きの単管パイプ
１４…直交クランプ金具
１５…仮囲いパネル
１６Ａ、１６Ｂ…直交クランプ金具
２…デジタルサイネージ
２１…筐体
２２…前面
２３…液晶表示画面
２４…下面
２５…背面
３Ａ、３Ｂ…縦向きの単管パイプ
４Ａ、４Ｂ…載置金具
４１…ボルト
４２…円弧状凹部
５Ａ、５Ｂ…手持ち金具
５１…ボルト
５２…取っ手
６Ａ、６Ｂ…単クランプ金具
６１…当接板
６２…ボルト
６３…クランプ板
６４…ボルト
【図１】
0003213192.tif 000003
【図２】
0003213192.tif 000004
【図３】
0003213192.tif 000005
【図４】
0003213192.tif 000006
【図５】
0003213192.tif 000007
【手続補正書】
【提出日】平成29年7月28日(2017.7.28)
【手続補正１】
【補正対象書類名】実用新案登録請求の範囲
【補正対象項目名】全文
【補正方法】変更
【補正の内容】
【実用新案登録請求の範囲】
【請求項１】
上側に配置された上側の横向きの単管パイプと、
前記上側の横向きの単管パイプの下側に配置された下側の横向きの単管パイプと、
前記上側の横向きの単管パイプと前記下側の横向きの単管パイプに連結され、左右に配置された複数の縦向きの単管パイプと、
前記上側の横向きの単管パイプ、前記下側の横向きの単管パイプ、及び前記複数の縦向きの単管パイプで形成された支持体に複数の仮囲いパネルを取り付けて構成される仮囲いと、
直方体の筐体に収納され、筐体の前面に表示画面が形成されたデジタルサイネージと、
前記筐体の幅よりも左右の間隔を若干広く形成して前記上側の横向きの単管パイプと前記下側の横向きの単管パイプに連結された一対の縦向きの単管パイプと、
前記筐体の下面の左右両端に一対取り付けられ、前記下側の横向きの単管パイプに係合する載置金具と、
前記一対の載置金具に各々取り付けられ、前記筐体の背面に沿って上方に延びて形成され、上端に手持ち用の取っ手が形成された手持ち金具と、
前記一対の縦向きの単管パイプに各々取り付けられ、前記筐体の前面に当接する当接板と、
前記筐体の背面に当接し、前記当接板に固定されて前記当接板との間で前記筐体を挟持するクランプ板と
からなることを特徴とする仮囲い用のデジタルサイネージ取付装置。
【請求項２】
請求項１に記載の仮囲い用のデジタルサイネージ取付装置において、
前記当接板は、
前記一対の縦向きの単管パイプの上下に各々取り付けられ、前記筐体の前面の上下両端に当接する
ことを特徴とする仮囲い用のデジタルサイネージ取付装置。
【請求項３】
請求項２に記載の仮囲い用のデジタルサイネージ取付装置において、
前記金属金具は、前記縦向きの単管パイプの外形に合致するように半円形状の凹部を有する
ことを特徴とする仮囲い用のデジタルサイネージ取付装置。
【手続補正２】
【補正対象書類名】明細書
【補正対象項目名】０００７
【補正方法】変更
【補正の内容】
【０００７】
前記課題は以下の手段によって解決される。
すなわち、本考案１の仮囲い用のデジタルサイネージ取付装置は、上側に配置された上側の横向きの単管パイプと、前記上側の横向きの単管パイプの下側に配置された下側の横向きの単管パイプと、前記上側の横向きの単管パイプと前記下側の横向きの単管パイプに連結され、左右に配置された複数の縦向きの単管パイプと、前記上側の横向きの単管パイプ、前記下側の横向きの単管パイプ、及び前記複数の縦向きの単管パイプで形成された支持体に複数の仮囲いパネルを取り付けて構成される仮囲いと、直方体の筐体に収納され、筐体の前面に表示画面が形成されたデジタルサイネージと、前記筐体の幅よりも左右の間隔を若干広く形成して前記上側の横向きの単管パイプと前記下側の横向きの単管パイプに連結された一対の縦向きの単管パイプと、前記筐体の下面の左右両端に一対取り付けられ、前記下側の横向きの単管パイプに係合する載置金具と、前記一対の載置金具に各々取り付けられ、前記筐体の背面に沿って上方に延びて形成され、上端に手持ち用の取っ手が形成された手持ち金具と、前記一対の縦向きの単管パイプに各々取り付けられ、前記筐体の前面に当接する当接板と、前記筐体の背面に当接し、前記当接板に固定されて前記当接板との間で前記筐体を挟持するクランプ板とからなることを特徴とする。
【手続補正書】
【提出日】平成29年8月25日(2017.8.25)
【手続補正１】
【補正対象書類名】実用新案登録請求の範囲
【補正対象項目名】全文
【補正方法】変更
【補正の内容】
【実用新案登録請求の範囲】
【請求項１】
上側に配置された上側の横向きの単管パイプと、
前記上側の横向きの単管パイプの下側に配置された下側の横向きの単管パイプと、
前記上側の横向きの単管パイプと前記下側の横向きの単管パイプに連結され、左右に配置された複数の縦向きの単管パイプと、
前記上側の横向きの単管パイプ、前記下側の横向きの単管パイプ、及び前記複数の縦向きの単管パイプで形成された支持体に複数の仮囲いパネルを取り付けて構成される仮囲いと、
直方体の筐体に収納され、筐体の前面に表示画面が形成されたデジタルサイネージと、
前記筐体の幅よりも左右の間隔を若干広く形成して前記上側の横向きの単管パイプと前記下側の横向きの単管パイプに連結された一対の縦向きの単管パイプと、
前記筐体の下面の左右両端に一対取り付けられ、前記下側の横向きの単管パイプに係合する載置金具と、
前記一対の載置金具に各々取り付けられ、前記筐体の背面に沿って上方に延びて形成され、上端に手持ち用の取っ手が形成された手持ち金具と、
前記一対の縦向きの単管パイプに各々取り付けられ、前記筐体の前面に当接する当接板と、
前記筐体の背面に当接し、前記当接板に固定されて前記当接板との間で前記筐体を挟持するクランプ板と
からなることを特徴とする仮囲い用のデジタルサイネージ取付装置。
【請求項２】
請求項１に記載の仮囲い用のデジタルサイネージ取付装置において、
前記当接板は、
前記一対の縦向きの単管パイプの上下に各々取り付けられ、前記筐体の前面の上下両端に当接する
ことを特徴とする仮囲い用のデジタルサイネージ取付装置。
【請求項３】
請求項２に記載の仮囲い用のデジタルサイネージ取付装置において、
前記載置金具は、前記縦向きの単管パイプの外形に合致するように半円形状の凹部を有する
ことを特徴とする仮囲い用のデジタルサイネージ取付装置。